(57)【要約】【課題】介護者が、寝たきりの高齢者や重度の障害者への着せ替えを容易に行えるとともに、展開部の必要部分のみ開放することができるズボンおよび上着を提供することを目的としている。【解決手段】ズボン本体に、各足挿入部の先端から腰部挿入部の上端に達する切断線に沿って切断された状態の２箇所の展開部を設け、２つのスライダーを有し、両スライダーが互いに近づく方向にスライドする時ファスナが閉じるように作用するスライドファスナを展開部が開閉できるようにズボン本体に取り付けるようにした。【選択図】      図１
2005054317.tif 000002
【特許請求の範囲】
【請求項１】
腰部挿入部と、２つの足挿入部とを有するズボンにおいて、
各足挿入部の先端から腰部挿入部の上端に達する切断線に沿って切断された状態の２箇所の展開部を有し、これらの展開部で布状に展開可能に形成されたズボン本体と、
一端縁に沿って務歯が連続して設けられ、務歯を他方の務歯付きテープ側に向けた状態で足挿入部先端から腰挿入部上端までそれぞれの展開部の両側縁に沿って固定された１対の務歯付きテープ、および、他方のスライダーに近づく方向にスライドさせたとき、両務歯付きテープの務歯同士を係合させ、他方のスライダーから遠ざかる方向にスライドさせたとき、前記務歯同士を解離させるように装着された２つのスラーダーを有し、２つのスライダーが、それぞれ務歯の長手方向両端に設けられたストッパに当接した状態で一方の務歯付きテープ側の務歯の端部を装脱自在になっている２組のスライドファスナとを備えることを特徴とするズボン。
【請求項２】
腰部挿入部の２つの展開部の外側縁からそれぞれ延出し、着衣状態で腰部の前方で連結可能な２つのベルト片を備えている請求項１に記載のズボン。
【請求項３】
前面に開閉自在な合わせ部を有する前開きの上着において、
両袖口から胸部の合わせ部の端に達するように切断線で切断された展開部で上下に展開可能な上着本体と、
一端縁に沿って務歯が連続して設けられ、務歯を他方の務歯付きテープ側に向けた状態で袖口から合わせ部の端まで展開部の両側縁に沿ってそれぞれ固定された1対の務歯付きテープ、および、他方のスライダーに近づく方向にスライドさせたとき、両務歯付きテープの務歯同士を係合させ、他方のスライダーから遠ざかる方向にスライドさせたとき、前記務歯同士を解離させるように装着された２つのスラーダーを有し、２つのスライダーが、それぞれ務歯の長手方向両端に設けられたストッパに当接した状態で一方の務歯付きテープ側の務歯の端部を装脱自在になっている２組のスライドファスナとを備えることを特徴とする上着。
【請求項４】
前面に開閉自在な合わせ部を有する前開きの上着において、腕挿入部が袖口から肘部付近にかけて切断され、この切断部が切断部に添って設けられたスライドファスナによって開閉自在になっていることを特徴とする上着。
【発明の詳細な説明】
【技術分野】
【０００１】
本発明は、介護が必要な人の着用に適したズボンおよび上着に関する。
【背景技術】
【０００２】
介護人が高齢者や障害者などの被介護者の着せ替え等が容易な介護用衣料として、たとえば、各足挿入部の先端から腰部挿入部の上端に達する切断線に沿って切断された２箇所の展開部を有し、これらの展開部で布状に展開可能なズボン本体を有し、このズボン本体が、腰部挿入部側を面状ファスナによって、また、足挿入部側をスライドファスナによって、それぞれ展開部の両側部を結合自在し、展開部を開閉自在にズボン（特許文献１等参照）が既に提案されている。また、袖口から襟首に掛けて展開部を設け、この展開部をファスナで開閉自在にした上着（特許文献２等）が既に提案されている。
すなわち、上記ズボンおよび上着は、いずれもファスナの係合を解除すれば、１枚の布状に展開できるので、まず、被介護者が手足を折り曲げたりすることなく着せ替えを行うことができる。また、点滴中でも着せ替えが可能である。また、上記ズボンにおいては、腰部挿入部の前見頃部分のみ開放すれば、ズボンを脱がなくても、おむつの交換等を行うことができる。
【０００３】
【特許文献１】登録実用新案第３０２２０４８号公報
【特許文献２】登録実用新案第３０６３３７８号公報
【発明の開示】
【発明が解決しようとする課題】
【０００４】
しかしながら、上記ズボンの場合、腰部挿入部側の展開部が面状ファスナによって開閉できるようになっているため、着せ替えの際に面状ファスナの雄部材側が寝具のカバー等に用いられているガーゼや毛布等に絡まり、着せ替えの邪魔になる恐れがある。また、足の膝部分等足の中間位置に点滴を施したりする場合など、スライドファスナを点滴位置より足挿入部の先端側にスライドさせて足挿入部の上部側の展開部をすべて開放状態にしなければならないため、開放した部分から肌が直接外気に曝されて被介護人が寒い思いをするという問題がある。
一方、上記上着の場合も、体温測定や点滴の際、ファスナをその位置まで開放しなければならないため、開放した部分から肌が直接外気に曝されて被介護人が寒い思いをするという問題がある。特に、展開部が襟首から袖口まで設けられており、胸等に点滴等を行おうとした場合、展開部を大きく開けなければならない。
【０００５】
本発明は、上記事情に鑑みて、介護者が、寝たきりの高齢者や重度の障害者への着せ替えを容易に行えるとともに、展開部の必要部分のみ開放することができるズボンおよび上着を提供することを目的としている。
【課題を解決するための手段】
【０００６】
上記目的を達成するために、本発明にかかるズボンは、腰部挿入部と、２つの足挿入部とを有するズボンにおいて、各足挿入部の先端から腰部挿入部の上端に達する切断線に沿って切断された状態の２箇所の展開部を有し、これらの展開部で布状に展開可能に形成されたズボン本体と、一端縁に沿って務歯が連続して設けられ、務歯を他方の務歯付きテープ側に向けた状態で足挿入部先端から腰部挿入部上端までそれぞれの展開部の両側縁に沿って固定された１対の務歯付きテープ、および、他方のスライダーに近づく方向にスライドさせたとき、両務歯付きテープの務歯同士を係合させ、他方のスライダーから遠ざかる方向にスライドさせたとき、前記務歯同士を解離させるように装着された２つのスラーダーを有し、２つのスライダーが、それぞれ務歯の長手方向両端に設けられたストッパに当接した状態で一方の務歯付きテープ側の務歯の端部を装脱自在になっている２組のスライドファスナとを備えることを特徴としている。
【０００７】
また、本発明のズボンは、腰部挿入部の２つの展開部の外側縁からそれぞれ延出し、着衣状態で腰部の前方で連結可能な２つのベルト片を備えていることが好ましい。
【０００８】
一方、本発明にかかる上着は、前面に開閉自在な合わせ部を有する前開きの上着において、両袖口から胸部の合わせ部の端に達するように切断線で切断された展開部で上下に展開可能な上着本体と、一端縁に沿って務歯が連続して設けられ、務歯を他方の務歯付きテープ側に向けた状態で袖口から合わせ部の端まで展開部の両側縁に沿ってそれぞれ固定された1対の務歯付きテープ、および、他方のスライダーに近づく方向にスライドさせたとき、両務歯付きテープの務歯同士を係合させ、他方のスライダーから遠ざかる方向にスライドさせたとき、前記務歯同士を解離させるように装着された２つのスラーダーを有し、２つのスライダーが、それぞれ務歯の長手方向両端に設けられたストッパに当接した状態で一方の務歯付きテープ側の務歯の端部を装脱自在になっている２組のスライドファスナとを備えることを特徴としている。
【０００９】
また、本発明にかかる上着は、前面に開閉自在な合わせ部を有する前開きの上着において、腕挿入部が袖口から肘部付近にかけて切断され、この切断部が切断部に添って設けられたスライドファスナによって開閉自在になっていることを特徴としている。
【発明の効果】
【００１０】
本発明にかかるズボンは、上記のような構成にしたので、介護者が、寝たきりの高齢者や重度の障害者への着せ替えを容易に行えるとともに、展開部の必要部分のみ開放することができる。また、前見頃部分のみ開放でき、着座姿勢でも、スボンをすべて脱がすことなくおむつの交換等を行うことができる。
また、腰部挿入部の２つの展開部の外側縁からそれぞれ延出し、着衣状態で腰部の前方で連結可能な２つのベルト片を備えている構成とすれば、ベルト片同士を腰部前方で連結しておくことで、展開部をすべて開放状態にしてもズボンが身体からずれたりすることがなく、着せ替え等がより容易になる。
【００１１】
一方、本発明にかかる上着は、上記のような構成にしたので、介護者が、寝たきりの高齢者や重度の障害者への着せ替えを容易に行えるとともに、展開部の必要部分のみを開放することができる。また、展開部が袖口から胸部の合わせ部の端に達するように設けられているので、胸に点滴を行う際にも展開部を大きく開放する必要がない。
【発明を実施するための最良の形態】
【００１２】
以下に、本発明を、その実施の形態をあらわす図面を参照しつつ詳しく説明する。
図１は本発明にかかるズボンおよび上着の１つの実施の形態をあらわしている。
【００１３】
図１に示すように、ズボン１および上着２は、寝たきりの高齢者や重度障害者などの介護をようする被介護者のパジャマとして好適に用いられる。
そして、ズボン１は、図１に示すように、ズボン本体１１が、腰部挿入部１２と、２つの足挿入部１３とを有し、各足挿入部１３の先端から腰部挿入部１２の上端に達する切断線に沿って切断された状態の２箇所の展開部１４を有し、図2に示すように、これらの展開部で布状に展開可能に形成されている。
また、ズボン本体１１には、展開部１４をそれぞれ開閉自在にするスライドファスナ３が一体に設けられているとともに、後で詳述する尿器等の係止環１５が両展開部１４の腰部挿入部１２の下端近傍および足挿入部１３の上端部の2箇所にそれぞれ設けられている。
【００１４】
さらに、図２および図４に示すように、腰部挿入部１２の２つの展開部１４の外側縁からそれぞれベルト片４が延出している。
そして、連結部材として一方のベルト片４の先端部に、面状ファスナの雄部材が取り付けられ、他方のベルト片４に面状ファスナの雌部材が設けられていて、雄部材と雌部材とを係着させることによって、着衣状態で腰部の前方で連結可能になっている。
スライドファスナ３は、図1に示すように、それぞれ、1対の務歯付きテープ３１と2つのスライダー３２を備えている。
【００１５】
務歯付きテープ３１は、テープ本体３３とテープ本体３３の１端縁に沿って務歯が連続して設けられた務歯部３４とを備えている。そして、足挿入部１３の先端から腰部挿入部１２の上端まで展開部１４の両側縁にそって務歯部３４を互いに対向させるようにズボン本体１１にテープ本体３３が縫着されている。
また、一方の務歯付きテープ３１の務歯部３４両端には、図３に示すようにストッパ３５が設けられている。
【００１６】
２つのスライダー３２は、ストッパ３５が設けられた側の務歯付きテープ３１の務歯部３４に常に係合した状態で装着されていて、図３に示すように、ストッパ３５に当接させた状態で、ストッパ３５が設けられていない側の務歯付きテープ３１の務歯部３４の端部が係脱自在になっている。そして、他方のスライダー３２方向にスライドさせたとき、両務歯付きテープ３１の対応する務歯同士を係合させて展開部１４を閉鎖状態にするとともに、他方のスライダー３２から遠ざかる方向にスライドさせたとき、前記務歯同士を解離させて展開部１４を開放状態にするようになっている。
【００１７】
つぎに、このズボン１の使用方法を詳しく説明する。
すなわち、このズボン１は、図示していないが、まず、被介護人者Ｐをベッド等の上に横臥させておき、その横に、図２に示すように、両展開部１４を展開状態にして載せたのち、被介護者をズボン本体１１上に載るように仰向けにする。
【００１８】
続いて、図４に示すように、両ベルト片４を腰の前方に配置し、面状ファスナの雄部材を雌部材に係着させて腰の前方で連結させる。
最後に、図３に示すように、スライダー３２を足挿入部１３の先端側および腰部挿入部１２の上端側でそれぞれストッパ３５に当接させた状態で、他方の務歯部３４の端部をスライダー３２に係合させたのち、それぞれ他方のスライダー３２に近づくようにスライドさせて、対応する務歯同士を係合させて、展開部１４を閉じた状態にすることによって、図１のような着衣状態とすることができる。
【００１９】
そして、たとえば、下腹部や足に点滴を行なったり、尿道にカテーテルを接続した場合などにおいては、スライダー３２を他方のスライダー３２から遠ざかる方向にスライドさせ、展開部１４を開放させて、点滴用のチューブ（あるいはカテーテル）Ｔを被介護人Ｐに装着したのち、図１に示すように、２つのスライダー３２が点滴用のチューブ（あるいはカテーテル）Ｔに略接するようになるように、他方のスライダー３２方向にスライドさせておくようにする。すなわち、ほとんど被介護人Ｐの肌が外気に曝されないようにする。
また、図４に示すように、おむつ９の交換等を行う場合においては、両展開部１４の腰部挿入部１２側のスライダー３２をそれぞれストッパ３５に当接するまでスライドさせ、図３に示すように、一方の務歯付きテープ３１の務歯部３４をスライダー３２から取り外して、展開部１４の腰部挿入部１２側の開放可能にする。そして、足挿入部１３側のスライダー３２を腰部挿入部１２の下端より少し足挿入部１３側の位置にしておき、腰部挿入部１２の前見頃部１２ａを足挿入部１３側に下げることによっておむつ９の交換等を行う。
【００２０】
さらに、図５に示すように、仰向け状態で被介護人Ｐに尿器Ｕを用いて排尿させる場合においては、おむつ９の交換の場合と同様に腰部挿入部１２の前見頃部１２ａを足挿入部１３側に下げるようにしておき、陰部Ｐ１に尿器Ｕを取り付け、尿器Ｕの上端の穴、又は引っ掛ける部分にゴム製の紐Ｓを通すとともに、紐Ｓの両端をそれぞれ上下に一つずつある係止環（フック）１５の内の腰部挿入部１２側の係止環１５に通してしっかりと結ぶようにして、尿器Ｕを陰部Ｐ１の位置に固定する。なお、個人差又は尿器の種類によって、陰部Ｐ１と尿器Ｕの間に隙間ができ、その隙間によって、陰部Ｐ１が尿器Ｕからずれてしまう恐れのある場合は、前記隙間にハンドタオル等（図示しない）を入れて、ずれを防止することが好ましい。
【００２１】
また、図示していないが、横臥状態で被介護人Ｐに尿器Ｕを用いて排尿させる場合においては、上記紐Ｓの一方の端部を横臥時上側に位置する腰部挿入部１２側の係止環１５のしっかり結ぶとともに、他方の端部を足挿入部１３側の係止環１５にしっかりと結ぶようにする以外は、仰向け時と同様になっている。
【００２２】
このズボン１は、以上のように、展開部１４が２つのスライダー３２を備えたスライドファスナ３によって開閉自在になっているとともに、２つのスライダー３２が互いに他方のスライダー３２に近づく方向にスライドしたとき、務歯が係合するようになっているので、展開部１４をチューブ（あるいはカテーテル）Ｔなどを引っ張りだす必要最小限の部分のみしか開放されないようにすることができる。したがって、ほとんど被介護人Ｐの肌が外気に曝されず、被介護人Ｐに寒い思いをさせることがない。勿論、完全に一枚の布状に展開できるので、被介護人Ｐが寝たきりの高齢者や重度障害者であっても着せ替えが容易である。
また、スライドファスナ３を用いたので、ファスナが毛布等に絡まったりすることが少ない。
【００２３】
さらに、ベルト片４を備えているので、おむつ９の交換等で、前見頃部分を全開状態にしても、前見頃部以外の腰部挿入部１２が外側に広がらず、被介護人Ｐの身体に添った状態に保たれる。したがって、おむつ９の交換等が容易で、被介護人Ｐにも寒い思いをさせなくて済む。
また、係止環１５を備えているので、被介護人Ｐに尿器Ｕを使用した排尿をさせる場合にも、介護人が尿器Ｕを持たなくても、尿器Ｕを陰部Ｐ１にしっかりと固定しておくことができ、被介護人Ｐの排尿に時間がかかる場合などでも、介護人が他の仕事を行うことができ非常に便利である。
【００２４】
一方、上着２は、図１、図６および図７に示すように、上着本体２１が前面に開閉自在な合わせ部を有する前開きになっていて、ボタンＢによって合わせ部が開閉自在になっているとともに、両袖口から胸部の合わせ部の端に達するように切断線で切断された２つの展開部２２で上下に展開可能になっている。そして、ボタンＢも外しておけば、左右にも展開されて、図示していないが、１枚の布状にできるようになっている。
また、図ではあらわれていないが、上記ズボン１と同様のスライドファスナ３が両展開部２２の袖口から合わせ部の端まで装着されている。
【００２５】
つぎに、この上着２の使用方法を詳しく説明する。
この上着２は、まず、図示していないが、被介護人Ｐをベッド等の上に横臥させておき、その横に、両展開部２２を展開状態にするとともに、ボタンＢをすべて外した状態にして載せたのち、被介護人Ｐを上着本体２１上に載るように仰向けにする。
続いて、スライダー３２を袖口側および合わせ部側でそれぞれストッパ３５に当接させた状態で、他方の務歯部３４の端部をスライダー３２に係合させたのち、それぞれ他方のスライダー３２に近づくようにスライドさせて、対応する務歯同士を係合させて、展開部２２を閉じた状態にするとともに、ボタンＢを嵌めることによって、図１のような着衣状態とすることができる。
【００２６】
そして、たとえば、点滴を行ったり、図７に示すように、体温計８で検温する場合においては、スライダー３２を他方のスライダー３２から遠ざかる方向にスライドさせ、展開部２２の一部を開放させて、点滴用のチューブ（あるいはカテーテル）Ｔを被介護人Ｐに装着したのち、図１に示すように、点滴のチューブをセットしたり、体温計８をセットした後、２つのスライダー３２が点滴用のチューブあるいは体温計８に略接するようになるように、他方のスライダー３２方向にスライドさせておくようにする。すなわち、ほとんど被介護人Ｐの肌が外気に曝されないようにする。
【００２７】
この上着２は、以上のように、展開部２２が２つのスライダー３２を備えたスライドファスナ３によって開閉自在になっているとともに、２つのスライダー３２が互いに他方のスライダー３２に近づく方向にスライドしたとき、務歯が係合するようになっているので、展開部２２をチューブあるいは体温計８などを引っ張りだす必要最小限の部分のみしか開放されないようにすることができる。したがって、ほとんど被介護人Ｐの肌が外気に曝されず、被介護人Ｐに寒い思いをさせることがない。勿論、完全に一枚の布状に展開できるので、被介護人Ｐが寝たきりの高齢者や重度障害者であっても着せ替えが容易である。
また、スライドファスナ３を用いたので、ファスナが毛布等に絡まったりすることが少ない。
【００２８】
図８は、本発明にかかる上着の他の実施の形態をあらわしている。
図８に示すように、この上着２'は、両腕挿入部２６がその袖口から肘（中間節）部分付近まで切断されていて、この切断部２５がスライドファスナ３'によって開閉自在になっているとともに、両腕挿入部２６の肩口の幅が標準サイズの上着より、数ｃｍ（Ｌサイズで５ｃｍ程度）大きくなっている。
【００２９】
この上着２'は、以上のように、両腕挿入部２６がその袖口から肘部分付近まで切断されていて、この切断部２５がスライドファスナ３'によって開閉自在になっているとともに、両腕挿入部２６の肩口の幅が標準サイズの上着より、数ｃｍ大きくなっているので、図８に示すように、スライドファスナ３を開き切断部２５を開放状態とすれば、片側マヒで座位姿勢が可能な障害者でも着せ替えが容易である。
【００３０】
なお、本発明は、上記の実施の形態に限定されない。たとえば、上記の実施の形態では、パジャマであったが、部屋着や外出着を上記のような構造としても構わない。
また、上記上着２の場合、寝たきりの被介護人に着せるようになっていたが、着座可能な軽度の障害者や健常者が着ることも可能である。ただし、軽度の障害者等はリハビリのため、あまり用いない方が好ましい。
【００３１】
上記の実施の形態では、ベルト片４が面状ファスナを介して連結されるようになっていたが、ホックやボタンで連結するようにしても構わない。
【図面の簡単な説明】
【００３２】
【図１】本発明にかかるズボンおよび上着の使用状態の１例をあらわす平面図である。
【図２】図１のズボンの展開状態の平面図である。
【図３】図１のズボンのスライドファスナの一方の務歯付きテープのスライダーからの取り外し状態をあらわす平面図である。
【図４】図１のズボンの使用状態の他の例であるおむつの交換方法を説明する平面図である。
【図５】図１のズボンの使用状態の他の例である尿器を用いた排尿方法を説明する平面図である。
【図６】図１の上着の展開部での展開状態をあらわす平面図である。
【図７】図１の上着の使用状態の１例である体温計での検温状態をあらわす平面図である。
【図８】本発明にかかる上着の他の実施の形態をあらわす使用状態の平面図である。
【符号の説明】
【００３３】
１  ズボン
１１  スボン本体
１２  腰部挿入部
１３  足挿入部
１４  展開部
１５  係止環
１２ａ  前見頃部
２，２'  上着
２１  上着本体
２２  展開部
２５  切断部
２６  腕挿入部
３，３'  スライドファスナ
３１  務歯付きテープ
３２  スライダー
３３  テープ本体
３４  務歯部
３５  ストッパ
４  ベルト片
Ｐ  被介護人
【図１】
2005054317.tif 000003
【図２】
2005054317.tif 000004
【図３】
2005054317.tif 000005
【図４】
2005054317.tif 000006
【図５】
2005054317.tif 000007
【図６】
2005054317.tif 000008
【図７】
2005054317.tif 000009
【図８】
2005054317.tif 000010